(57)【要約】      （修正有）【課題】耐衝撃性に優れる堅牢な構成で、施錠時の信頼性に優れた引き戸用の施錠装置の提供。【解決手段】装置本体１４と、装置本体１４に取り付けられ、装置本体１４から突出して引き戸１の戸尻に当接することにより、引き戸１の移動を阻止する施錠位置と、引き戸１を移動可能とする待機位置とに移動可能で、係合受部２８を形成された移動部材２６を有する第１施錠部１５と、装置本体１４に取り付けられ、装置本体１４からキー孔を表出させるキーシリンダ３３と、キーシリンダ３３をキー操作することにより、装置本体１４内で、第１施錠部１５の移動部材２６に形成した係合受部２８に係合して移動部材２６を施錠位置に位置決めするロック位置と、離脱するアンロック位置の間で往復移動可能なロッド３５とを有する第２施錠部１６とを備えた構成とする。【選択図】図３
2010285807.tif 000002
【特許請求の範囲】
【請求項１】
装置本体と、
前記装置本体に取り付けられ、装置本体から突出して引き戸の戸尻に当接することにより、引き戸の移動を阻止する施錠位置と、引き戸を移動可能とする待機位置とに移動可能で、係合受部を形成された移動部材を有する第１施錠部と、
前記装置本体に取り付けられ、装置本体からキー孔を表出させるキーシリンダと、キーシリンダをキー操作することにより、装置本体内で、前記第１施錠部の移動部材に形成した係合受部に係合して移動部材を施錠位置に位置決めするロック位置と、離脱するアンロック位置の間で往復移動可能なロッドとを有する第２施錠部と、
を備えたことを特徴とする施錠装置。
【請求項２】
前記第１施錠部は、移動部材に回動可能に設けられ、移動部材を待機位置に移動させた状態で、引き戸の表面に沿って垂下し、移動部材を施錠位置に移動させる際、移動部材に沿って一部が装置本体内に没入可能な回動部材を備えたことを特徴とする請求項１に記載の施錠装置。
【請求項３】
前記装置本体は、回動部材の一部が出没する位置の両側に所定間隔でガイド部を備え、該ガイド部は、移動部材を施錠位置に移動させた際、移動部材に沿って位置決めされた回動部材と一体となって突出構造体を構成し、移動部材を待機位置に移動させた際、回動部材を下方側に突出させることを特徴とする請求項２に記載の施錠装置。
【請求項４】
前記引き戸は、閉鎖位置で、戸尻を、施錠位置に位置する第１施錠部の移動部材に圧接させる弾性部材を備えたことを特徴とする請求項１から３のいずれか１項に記載の施錠装置。
【請求項５】
前記弾性部材は、引き戸の戸尻に設け、移動部材に直接圧接することを特徴とする請求項４に記載の施錠装置。
【発明の詳細な説明】
【技術分野】
【０００１】
本発明は、引き戸に使用される施錠装置に関するものである。
【背景技術】
【０００２】
従来、施錠装置として、例えば、引き戸に設けられ、フック部を回動させることにより、出入口の内側部に形成した係合凹部に係合させて施錠するようにしたものが公知である（例えば、特許文献１参照）。
【０００３】
しかしながら、前記従来の施錠装置では、引き戸が乱暴に開閉される等により簡単に破損するという問題がある。また、フック部を係合しただけであるので、鍵を使用することなく施錠状態を解除されやすいという問題もある。
【先行技術文献】
【特許文献】
【０００４】
【特許文献１】特許第４０４４６４０号公報
【発明の概要】
【発明が解決しようとする課題】
【０００５】
本発明は、耐衝撃性に優れる等の堅牢な構成であって、しかも施錠時の信頼性に優れた施錠装置を提供することを課題とする。
【課題を解決するための手段】
【０００６】
本発明は、前記課題を解決するための手段として、
施錠装置を、
装置本体と、
前記装置本体に取り付けられ、装置本体から突出して引き戸の戸尻に当接することにより、引き戸の移動を阻止する施錠位置と、引き戸を移動可能とする待機位置とに移動可能で、係合受部を形成された移動部材を有する第１施錠部と、
前記装置本体に取り付けられ、装置本体からキー孔を表出させるキーシリンダと、キーシリンダをキー操作することにより、装置本体内で、前記第１施錠部の移動部材に形成した係合受部に係合して移動部材を施錠位置に位置決めするロック位置と、離脱するアンロック位置の間で往復移動可能なロッドとを有する第２施錠部と、
を備えた構成としたものである。
【０００７】
この構成により、引き戸を第２施錠部のロッドではなく、このロッドによって位置決めされた移動部材に当接させることにより施錠状態とすることができる。したがって、移動部材及びその支持構造を強固なものとするだけで、堅牢な施錠構造を提供することができる。また、キーによる施錠部位（第２施錠部）と、引き戸を位置決めする部位（第１施錠部）とに分けているので、施錠時の信頼性（盗難防止性）に優れている。なお、第２施錠部には、移動部材を位置決めすることのできる種々の構成のものを採用することができる。
【０００８】
前記第１施錠部は、移動部材に回動可能に設けられ、移動部材を待機位置に移動させた状態で、引き戸の表面に沿って垂下し、移動部材を施錠位置に移動させる際、移動部材に沿って一部が装置本体内に没入可能な回動部材を備えるのが好ましい。
【０００９】
この構成により、移動部材の移動位置の判別が容易となり、施錠忘れを防止することが可能となる。
【００１０】
前記装置本体は、回動部材の一部が出没する位置の両側に所定間隔でガイド部を備え、該ガイド部は、移動部材を施錠位置に移動させた際、移動部材に沿って位置決めされた回動部材と一体となって突出構造体を構成し、移動部材を待機位置に移動させた際、回動部材を下方側に突出させるのが好ましい。
【００１１】
この構成により、回動部材がガイド部と一体となったか否かで、移動部材が正確に施錠位置に移動したか否かの判別を容易に行うことが可能となる。また、ガイド部から回動部材が突出することにより、移動部材が待機位置に移動したか否かの判別を容易に行うことが可能となる。
【００１２】
前記引き戸は、閉鎖位置で、戸尻を、施錠位置に位置する第１施錠部の移動部材に圧接させる弾性部材を備えるのが好ましい。
【００１３】
この構成により、引き戸に弾性部材を設けるだけで、施錠位置に移動させた移動部材による引き戸の閉鎖状態をがたつきのない適切な状態とすることができる。
【００１４】
前記弾性部材は、引き戸の戸尻に設け、移動部材に直接圧接するようにすればよい。
【発明の効果】
【００１５】
本発明によれば、引き戸の移動を直接阻止するための移動部材を有する第１施錠部と、移動部材の移動を阻止するための第２施錠部とからなるので、移動部材の構造を強化することにより、引き戸の施錠状態を堅牢なものとし、施錠状態の信頼性を得ることができる。
【図面の簡単な説明】
【００１６】
【図１】（ａ）は本実施形態に係る施錠装置を採用した出入口及び引き戸を示す内側から見た状態の正面図、（ｂ）は戸当り部分の拡大断面図である。
【図２】（ａ）は、図１の施錠装置の施錠状態を示す斜視図、（ｂ）は解錠状態を示す部分斜視図である。
【図３】（ａ）は、図１の施錠装置の正面図、（ｂ）はその断面図である。
【発明を実施するための形態】
【００１７】
以下、本発明に係る実施形態を添付図面に従って説明する。なお、以下の説明では、必要に応じて特定の方向や位置を示す用語（例えば、「上」、「下」、「側」、「端」を含む用語）を用いるが、それらの用語の使用は図面を参照した発明の理解を容易にするためであって、それらの用語の意味によって本発明の技術的範囲が限定されるものではない。また、以下の説明は、本質的に例示に過ぎず、本発明、その適用物、あるいは、その用途を制限することを意図するものではない。
【００１８】
図１は本実施形態に係る施錠装置１３を備えた引き戸１（片引き戸）を示す。この引き戸１は、建物の壁面等に形成された出入口２に設けられる。出入口２は、矩形状の開口であり、その内側の上方部分から引き戸１が移動可能な袖部３の上方部分にかけてハンガーレール４が設けられている。出入口２の一方の側縁部（引き戸１の戸先が当接する部分）には、ゴム製の戸当り受部５が設けられている。戸当り受部５は、断面略コ字形で、閉められた引き戸１の戸先に当接して位置ズレを防止する。但し、戸当り受部５は必ずしも必要なものではない。
【００１９】
引き戸１は、スチール製で、上端部にはハンガーレール４に往復移動可能に支持される一対のローラ６が左右にそれぞれ設けられている。引き戸１の中央部よりも上方部分には、内外に開口する窓部７が形成されている。窓部７には、強化ガラス、アクリル等の透光性を有する材料からなるプレートが嵌め込まれている。また、引き戸１の中央部よりも下方部分には、内外を連通する通気部８が形成されている。通気部８は、所定間隔でスリット状の空気孔を形成したものである。引き戸１の戸先には、図１（ｂ）に示すように、取付プレート９ａを介して戸当り９が設けられている。取付プレート９ａは断面略コ字形の金属製の板材で、引き戸１の側縁部を覆うように取り付けられ、表裏面から引き戸１にそれぞれネジ止め固定される。戸当り９は、シリコン製で、先端側に向かうに従って徐々に接近する傾斜面を備えた断面筒状に形成されている。そして、取付プレート９ａを引き戸１に固定する前に、その内面側から取付プレート９ａにネジ止め固定される。戸当り９は、引き戸１が閉められた際の衝撃を緩和し、指詰めを防止する。また、戸当り９は、引き戸１で出入口２を閉鎖した状態で、戸当り受部５に圧接して弾性変形する。引き戸１の戸先側中央には、内外面に引手１０がそれぞれ形成されている。また、引き戸１の戸尻側中央部にはEPDM（エチレン−プロピレン−ジエンゴム）、ウレタン等の弾性部材１１が一体化されている。この弾性部材１１は、後述する施錠装置１３の移動部材２６に圧接させるために設けられている。
【００２０】
出入口２を構成する側縁部（袖部３）の中央部に形成した取付口１２には、図３（ｂ）に示すように、本発明に係る施錠装置１３が設けられている。この施錠装置１３は、装置本体１４に第１施錠部１５及び第２施錠部１６を設けたものである。
【００２１】
装置本体１４は、金属製（例えば、ステンレス鋼製）の表板１７、中間板１８及び裏板１９をそれぞれネジ止め固定することにより、中空の箱体形状としたものである。装置本体１４の周囲には中間板１８と裏板１９とで溝部２０が形成されている。ここでは、中間板１８によって構成される溝部２０の底面部分の長さが、裏板１９で構成される長さよりも十分に長く形成されている。溝部２０には、袖部３に形成した取付口１２の内縁部が位置する。装置本体１４の下方側中央部には、表板１７と中間板１８とで矩形状のガイド孔２１が形成されている。ガイド孔２１を構成する上壁には連通孔２２が形成され、後述する第２施錠部１６のロッド３５が出没するようになっている。表板１７には、ガイド孔２１の開口を構成する両側部からガイド部２３（図２参照）が突設されている。ガイド部２３は、図２（ｂ）に示すように、対向面に段部２３ａが形成され、外表面は円弧状の湾曲面で構成されている。また、連通孔２２の開口下縁部からは、図３（ｂ）に示すように、両ガイド部２３を結ぶ補助壁２４が突設されている。装置本体１４の上方側内部には、第２施錠部１６をネジ止め固定するための支持プレート２５が設けられている。表板１７には円形孔が形成され、第２施錠部１６のキーシリンダ３３の表面部が露出するように位置決めされている。また、中間板１８及び裏板１９には、表板１７とは水平方向に位置をずらせて円形孔が形成され、第２施錠部１６のサムターン錠３４が露出するように位置決めされている。
【００２２】
第１施錠部１５は、装置本体１４に形成したガイド孔２１にスライド可能に配置される移動部材２６と、この移動部材２６に回動可能に連結された、表板１７の前面側に位置する回動部材２７とで構成されている。
【００２３】
移動部材２６は、断面矩形の棒状で、ガイド孔２１への配置状態で、厚さ寸法よりも幅寸法の方が十分に大きく形成されている（ここでは、厚さ寸法が２２ｍｍであるのに対し、幅寸法が５０ｍｍに形成されている。）。移動部材２６の一端部（表板１７側）には、中央部分が切り欠かれることにより回動部材２７を回動可能に支持する軸受部２９が形成されている。そして、回動部材２７と軸受部２９との間の空間によって第２施錠部１６のロッド３５が係脱する係合受部２８が構成されている。移動部材２６の他端部（裏板１９側）には矩形板状の鍔部３０が取り付けられている。鍔部３０は、移動部材２６の上下にのみ突出し、両側は移動部材２６の両側面と面一となっている。移動部材２６は、外側に移動して鍔部３０が裏板１９に当接する施錠位置と、内側に移動して、後述する回動部材２７の把持部３１によって位置規制される待機位置との間で移動可能となっている。
【００２４】
回動部材２７は、図２（ｂ）に示すように、把持部３１と取付部３２とで構成されている。把持部３１は、前面側が断面円弧状の曲面で形成され、背面側に段部３１ａを有する段付き形状となっている。取付部３２は、把持部３１の背面に連続し、移動部材２６の軸受部２９の間に位置し、回動可能に支持されている。取付部３２は、移動部材２６と同一の厚さ寸法に形成されている。回動部材２７は、移動部材２６が後退した待機位置に位置するとき、回動自在となって自重により表板１７に沿う垂下位置に回動する。また、回動部材２７は、移動部材２６が前進した施錠位置に位置するとき、図２（ａ）に示すように、ガイド孔２１内に侵入し、補助壁２４によって下面を支持されることにより水平位置に回動する。
【００２５】
第２施錠部１６は、ケーシング１６ａに、キー操作可能なキーシリンダ３３と、指で操作可能なサムターン錠３４とを設けたもので、ケーシング１６ａは、装置本体１４の支持プレート２５にネジ止め固定されている。そして、キー又はサムターンをロック位置又はアンロック位置に回転操作することにより、ケーシングからロッド３５が出没し、移動部材２６の係合孔２８に係脱するようになっている。なお、第２施錠部１６には、市販されているものを使用することができる。
【００２６】
前記構成の施錠装置１３は、次のようにして組み立てられ、出入口２を構成する袖部３に装着される。
【００２７】
中間板１８の支持プレート２５に第２施錠部１６のケーシングをネジ止め固定する。そして、中間板１８に表板１７をネジ止め固定し、１次組立品を得る。このとき、表板１７の円形孔にキーシリンダ３３のキー差込側を位置決めし、中間板１８の円形孔にキーシリンダ３３の後端側を位置決めする。
【００２８】
続いて、出入口２の袖部３に形成した取付口１２に、１次組立品の中間板１８側を外側から挿入することにより支持させる。中間板１８には、溝部２０の底面を構成する部分の長さが十分に取られている。したがって、１次組立品を取付口１２に挿入しただけであっても、簡単には脱落せず、安定した支持状態が得られる。また、装置本体１４のガイド孔２１に、鍔部３０を取り付けていない第１施錠部１５の移動部材２６を挿入する。
【００２９】
その後、袖部３の内側に移動して中間板１８に対して裏板１９をネジ止め固定する。これにより、中間板１８と裏板１９との間に溝部２０が形成され、そこには取付口１２の開口縁部が位置することにより袖部３への固定が完了する。また、裏板１９から突出する移動部材２６の端面に鍔部３０をネジ止め固定する。これにより、第１施錠部１５は装置本体１４から脱落不能となる。
【００３０】
このように、前記施錠装置１３であれば、既存の引き戸１であっても、袖部に取付口１２を形成するだけで、引き戸１には何等加工を施す必要もなく、簡単に取り付けることができる。
【００３１】
次に、前記構成の施錠装置１３の動作について説明する。
【００３２】
施錠装置１３を施錠する前の状態では、第１施錠部１５の移動部材２６は外側に突出し（待機位置）、回動部材２７は、垂下位置に位置する。このため、表板１７から突出するガイド部２３に対して回動部材２７は先端部分を下方へと突出させた状態となり、一目で施錠されていないと判別することができる。
【００３３】
施錠装置１３を施錠する場合、引き戸１をスライド移動させて出入口２を閉鎖する閉鎖位置に移動させる。そして、第１施錠部１５の回動部材２７の把持部３１を把持して水平方向に回動させ、移動部材２６と共に押し込む（施錠位置）。回動部材２７は、把持部３１の背面側の段部３１ａがガイド部２３の対向面に形成した段部２３ａに当接することにより押込位置を制限される。この状態では、図２（ａ）に示すように、回動部材２７とガイド部２３とは一体となった突出構造体を構成する。このため、移動部材２６が正確に施錠位置に移動したことを一目で把握することができる。移動部材２６は引き戸１の戸尻に設けた弾性部材１１を弾性変形させながら前進し、その側面に弾性部材１１を圧接させる。これにより、引き戸１は戸先の戸当り９を出入口２に設けた戸当り受部５に圧接させ、引き戸１は閉鎖状態に維持される。
【００３４】
ここで、キーシリンダにキーを差し込んでロック位置に回転させると、ロッド３５が突出して移動部材２６の係合受部２８に係合し、施錠が完了する。この施錠状態では、引き戸１は、第２施錠装置のロッド３５ではなく、移動部材２６によって開放方向への移動を阻止される。
【００３５】
このようにして施錠された施錠装置１３によれば、移動部材２６は、前述のように、厚さ寸法に比べて幅寸法が十分に大きく形成されている。したがって、引き戸１を閉鎖位置に位置決めする構成としては十分な強度を有する堅牢なものとなっている。また、キー操作する部分は、市販されたシリンダ錠を使用できるため、施錠の信頼性はシリンダ錠の性能に応じたものとすることができる。例えば、学校の教室の扉に採用する場合、校舎の出入口の施錠装置を前記キーシリンダ３３と同じものと使用すれば、同一のキーで、校舎及び教室の施錠及び解錠を行うことができる。また、回動部材２７は、表板１７から突出するガイド部２３に沿って位置決めされ、一目で施錠位置に位置すると判別することができる。そして、ガイド部２３及び回動部材２７の突出部分は断面円弧状の曲面で構成されているため、人がぶつかったりしても安全である。
【００３６】
施錠装置１３を解錠する場合、外側からは、キーシリンダ３３にキーを差し込んでアンロック位置に回動させる。そして、キー操作により、ロッド３５を移動部材２６の係合孔２８から離脱させ、移動部材２６を移動可能な状態とする。そこで、把持部３１を把持して回動部材２７を引っ張り出すことにより、移動部材２６を図２（ａ）に示す施錠位置から図２（ｂ）に示す待機位置へと移動させる。一方、内側からはサムターン錠３４を手動によりアンロック位置に回動させることにより、ロッド３５を移動部材２６の係合孔２８から離脱させ、移動部材２６を移動可能な状態とする。そして、移動部材２６を直接押圧することにより、移動部材２６を図２（ａ）に示す施錠位置から図２（ｂ）に示す待機位置へと移動させる。このようにして、移動部材２６が引き戸１を閉鎖位置に位置決めしている状態を解除することができる。
【００３７】
なお、本発明は、前記実施形態に記載された構成に限定されるものではなく、種々の変更が可能である。
【００３８】
例えば、前記実施形態では、施錠装置１３を片引き戸に採用する場合について説明したが、２枚の引き戸１で構成される両引き戸１に採用することも可能である。この場合、一方の引き戸１に施錠装置１３を装着するようにすればよい。
【００３９】
また、前記実施形態では、引き戸１の戸尻に弾性部材１１を設けるようにしたが、この弾性部材１１の代わりに、戸当り９の弾性を利用することもできるし、弾性部材１１のみとすることも可能である。
【００４０】
また、前記実施形態では、弾性部材１１を弾性変形させながら移動部材２６を待機位置へと移動させるようにしたが、移動部材２６に戸尻に摺接する傾斜面を形成し、この傾斜面で引き戸１を閉鎖位置へと押し付けるようにしてもよい。すなわち、移動部材２６には、先端から後端に向かうに従って徐々に閉鎖位置の引き戸１の戸尻に接近する傾斜面を形成する。これにより、移動部材２６を待機位置から施錠位置へと移動させることにより、傾斜面が引き戸１の戸尻に徐々に摺接し、引き戸１を閉鎖位置側へと押し付けることができる。この結果、第１施錠部１５による施錠動作をスムーズに行うことが可能となる。
【符号の説明】
【００４１】
１…引き戸
２…出入口
３…袖部
４…ハンガーレール
５…戸当り受部
６…ローラ
７…窓部
８…通気部
９…戸当り
１０…引手
１１…弾性部材
１２…取付口
１３…施錠装置
１４…装置本体
１５…第１施錠部
１６…第２施錠部
１７…表板
１８…中間板
１９…裏板
２０…溝部
２１…ガイド孔
２２…連通孔
２３…ガイド部
２４…補助壁
２５…支持プレート
２６…移動部材
２７…回動部材
２８…係合孔（係合受部）
２９…軸受部
３０…鍔部
３１…把持部
３２…取付部
３３…キーシリンダ
３４…サムターン錠
【図１】
2010285807.tif 000003
【図２】
2010285807.tif 000004
【図３】
2010285807.tif 000005